(57)【特許請求の範囲】
【請求項１】
ボルトの頭部、又はナットに取付けられこれらの締め忘れを防止するボルト、ナットキャップにおいて、
前記ボルトの頭部、又は前記ナットを覆う可撓性部材からなる略楕円柱状のカバー部と、
該カバー部の略楕円形の上面部に前記ボルトのネジ部を挿通可能に形成された略円形の挿通孔と、
前記上面部の長軸方向に相対向して前記挿通孔の内縁部から外周方向に向かって形成された内側切込みと、
前記カバー部の下方縁部から外側方向に略円形となるように設けられた鍔部と、
前記内側切込みと略垂直方向に相対向して該鍔部の外縁部から内側方向に形成された外側切込みと、を有しハット型に形成されたことを特徴とするボルト、ナットキャップ。
【請求項２】
請求項１記載のボルト、ナットキャップに色彩が施されたことを特徴とするボルト、ナットキャップ。
【請求項３】
請求項１記載のボルト、ナットキャップに蛍光塗料が塗布、又は含有されたことを特徴とするボルト、ナットキャップ。
【請求項４】
請求項１記載のボルト、ナットキャップに蓄光塗料が塗布、又は含有されたことを特徴とするボルト、ナットキャップ。
【請求項５】
ボルト、又はナットを締めた後に、請求項１乃至４記載のボルト、ナットキャップをその略楕円柱状の前記カバー部の長軸方向から挟持し該カバー部の短軸方向の幅を広げて前記ボルトの頭部、又は前記ナットに被せて取付けることを特徴とするボルト、ナット締め忘れ確認方法。
【発明の詳細な説明】
【技術分野】
【０００１】
この発明は、ボルト、又はナットの締め忘れを防止するためのボルト、ナットキャップ、及び、ボルト、ナット締め忘れ確認方法に関する。
【背景技術】
【０００２】
従来、住宅における母屋、垂木、棟木等から構成される小屋組を始めとして、各部材同士を連結する際には、ボルトやナットが多く使用されており、これらの締め忘れが発生する可能性があった。そのため、ボルト、ナット締め忘れ検査用突き棒にて、これらの打撃確認を行ったり、ボルト、ナットを締めた後にマジック等でマーキングを行うことにより、当該ボルト、ナットの締め忘れを防止している。また、その他にも、以下のような包被ナットを用いてこれらの締め忘れを防止している。
【０００３】
この包被ナット１０１は、図７に示すように、ナット１０２の下にバネ座金１０３を介在させ、当該バネ座金１０３と前記ナット１０２を合成樹脂フィルムの包被材１０４により前記バネ座金１０３の下方にまで巻き込むように包被する。これにより、ナット１０２の締め付けによってバネ座金１０３が変形して、当該包被材１０４に設けられたミシン目１０５に従って当該包被材１０４が破れ、ナット１０２が締め付けられたか否かを目視で判断することができる。（例えば、特許文献１）。また、その他にも、塗料を封入したフィルムバッグをナットの座金の下方に介在させておき、該ナットを本締めして該フィルムバッグを破裂させ、塗料を吐出させることによりナットの締め忘れを目視で確認することができるナットも考案されている（例えば、特許文献２）
【０００４】
【特許文献１】実開昭６３−７２３１２号公報
【特許文献２】特開平１１−０４４３１５号公報
【発明の開示】
【発明が解決しようとする課題】
【０００５】
しかし、上述の検査用突き棒にてボルト、ナットの締め忘れを確認する場合には、住宅の施工に使用されるボルト、ナットの数が非常に多いので、すべてを検査するのに長時間を要していた。また、小屋組等の場所では、作業者が脚立を使用する等の高所作業を行う必要があり、安全性の面でも問題があった。そして、上述のマジック等でマーキングを行う方法や、包被ナットを使用する場合には、何らかの理由でボルト、ナットを緩める必要が生じた際には、これらの効力は失われるので再びボルト、ナットの締め忘れが生じる可能性がある。さらに、小屋組等の場所では作業者からボルト、ナットまでの距離が遠く視認しずらいという問題もあった。
【０００６】
この発明は上記のような種々の課題を解決することを目的としてなされたものであって、ボルトの頭部、又はナットへの取付けが容易であり、また、目視により短時間でボルト、ナットの締め忘れを確認することができ、さらに、一旦締めた当該ボルト、ナットを再び緩めたとしてもこれらの締め忘れが生じることのないボルト、ナットキャップ、及び、ボルト、ナット締め忘れ確認方法に関する。
【課題を解決するための手段】
【０００７】
上記目的を達成するために、請求項１記載のボルト、ナットキャップは、ボルトの頭部、又はナットに取付けられこれらの締め忘れを防止するボルト、ナットキャップにおいて、前記ボルトの頭部、又は前記ナットを覆う可撓性部材からなる略楕円柱状のカバー部と、該カバー部の略楕円形の上面部に前記ボルトのネジ部を挿通可能に形成された略円形の挿通孔と、前記上面部の長軸方向に相対向して前記挿通孔の内縁部から外周方向に向かって形成された内側切込みと、前記カバー部の下方縁部から外側方向に略円形となるように設けられた鍔部と、前記内側切込みと略垂直方向に相対向して該鍔部の外縁部から内側方向に形成された外側切込みと、を有しハット型に形成されたことを特徴としている。
【０００８】
請求項２記載のボルト、ナットキャップは、請求項１記載のボルト、ナットキャップに色彩が施されたことを特徴としている。
【０００９】
請求項３記載のボルト、ナットキャップは、請求項１記載のボルト、ナットキャップに蛍光塗料が塗布、又は含有されたことを特徴としている。
【００１０】
請求項４記載のボルト、ナットキャップは、請求項１記載のボルト、ナットキャップに蓄光塗料が塗布、又は含有されたことを特徴としている。
【００１１】
請求項５記載のボルト、ナット締め忘れ確認方法は、ボルト、又はナットを締めた後に、請求項１乃至４記載のボルト、ナットキャップをその略楕円柱状の前記カバー部の長軸方向から挟持し該カバー部の短軸方向の幅を広げて前記ボルトの頭部、又は前記ナットに被せて取付けることを特徴としている。
【発明の効果】
【００１２】
請求項１記載のボルト、ナットキャップによれば、略楕円柱状に形成されたカバー部の上面部に形成された挿通孔において、その内縁部から外周方向に向かって該上面部の長軸方向に相対向して形成された内側切込みと、該カバー部の下端縁部から外側方向に形成された鍔部において、内側切込みと略垂直方向に相対向して該鍔部の外縁部から内側方向に形成された外側切込みと、を有している。これにより、カバー部の長軸方向から挟持すれば内側切込みが開き、該カバー部の長軸方向の長さが短くなると共に、その短軸方向の幅が広がる。これに従い、鍔部にも歪が生じるが、これを吸収するように当該鍔部に形成された外側切込みも開く。従って、作業者が容易にボルトの頭部、又はナットに、本発明に係るボルト、ナットキャップを取付けることができる。
【００１３】
さらに、前述のようにボルトの頭部、又はナットにボルト、ナットキャップを取付けた後は、カバー部の短軸方向の幅は、その復元力により元の形状に戻ろうとして当該ボルトの頭部、又はナットを挟持するため、一旦取付けられた当該ボルト、ナットキャップが容易に外れることがない。さらに、挿通孔にボルトのネジ部を挿通して、ナットにボルト、ナットキャップを取付けた場合には、内側切込みと挿通孔の内縁部が形成する角部が当該ネジ部のネジ溝に係止されるので、該ボルトからボルト、ナットキャップが容易に外れることがない。
【００１４】
そして、ボルト、ナットを締めた後、これらにボルト、ナットキャップを取付けることで、ボルト、ナットが締められているか否かを目視で確認することができるので作業が効率的である。さらに、何らかの理由でボルト、ナットを緩める必要があった場合には、ボルトの頭部、又はナットに被せられるカバー部が楕円柱状に形成されており、さらに、これらとカバー部の間には隙間を有しているので、ボルト、ナットキャップをボルトの頭部、又は、ナットに被せた状態では、レンチ等でこれらを緩めることができない。従って、何らかの理由でボルト、ナットを緩める際には、ボルト、ナットキャップを一旦取外す必要があり、これを再び締め忘れたとしても当該ボルト、ナットにはボルト、ナットキャップが取り付けられていない状態なので、この締め忘れを見逃すことがない。そして、ボルト、ナットを再び締めた後に、ボルト、ナットキャップを再び取付ければ、これが締められているか否かを目視で確認することができるので作業が効率的である。
【００１５】
また、カバー部の下方縁部から外側方向に略円形の鍔部が形成されている。これにより、母屋、垂木、棟木等から構成される小屋組等の高い位置で使用されるボルト、ナットに、ボルト、ナットキャップを取付けた際にも、視認性がよいのでこれを見落とすことがないという利点がある。
【００１６】
また、略楕円柱状のカバー部の略楕円形の上面部には、ボルトのねじ部を挿通可能な略円形の挿通孔が形成されている。これにより、ボルトのネジ部がナットから出ていたとしても、当該ネジ部を挿通孔に挿入すれば、容易に当該ナットにボルト、ナットキャップを取付けることができる。
【００１７】
請求項２記載のボルト、ナットキャップによれば、請求項１記載のボルト、ナットキャップに色彩が施されている。これにより、ボルト、ナットを締めた後、これらにボルト、ナットキャップを取付けた際の視認性が向上する。
【００１８】
請求項３記載のボルト、ナットキャップによれば、請求項１記載のボルト、ナットキャップに蛍光塗料が塗布、又は含有されている。これにより、例えば夕方になって周囲の照度が低くなったとしても、僅かな照明でも目立ちやすくなり、ボルト、ナットを締めた後、これらにボルト、ナットキャップを取付けた際の視認性がより向上する。
【００１９】
請求項４記載のボルト、ナットキャップによれば、請求項１記載のボルト、ナットキャップに蓄光塗料が塗布、又は含有されている。これにより、太陽が沈みかける等作業現場の照度が低下した場合であっても、太陽光等を吸収したボルト、ナットキャップが自発的に発光するのでボルト、ナットを締めた後、これらにボルト、ナットキャップを取付けた際の視認性が向上する。
【００２０】
請求項５記載のボルト、ナット締め忘れ確認方法によれば、ボルト、又はナットを締めた後に、請求項１乃至４記載のボルト、ナットキャップをその略楕円柱状の前記カバー部の長軸方向から挟持し該カバー部の短軸方向の幅を広げて前記ボルトの頭部、又は前記ナットに被せて取付けている。これにより、容易にボルト、ナットキャップを取付けることができると共に、これが容易に脱離することがない。そして、ボルト、ナットを締めた後、これらにボルト、ナットキャップを取付けることで、ボルト、ナットが締められているか否かを目視で確認することができるので作業が効率的であり、高所作業が発生することがなく安全性も確保することができる。
【００２１】
さらに、何らかの理由でボルト、ナットを緩める必要があった場合には、ボルトの頭部、又はナットに被せられるカバー部が楕円柱状に形成されており、さらに、これらとカバー部の間には隙間を有しているので、ボルト、ナットキャップをボルトの頭部、又は、ナットに被せた状態では、レンチ等でこれらを緩めることができない。従って、何らかの理由でボルト、ナットを緩める際には、ボルト、ナットキャップを一旦取外す必要があり、これを再び締め忘れたとしても当該ボルト、ナットにはボルト、ナットキャップが取り付けられていない状態なので、この締め忘れを見逃すことがない。そして、ボルト、ナットを再び締めた後に、ボルト、ナットキャップを再び取付ければ、これが締められているか否かを目視で確認することができるので作業が効率的である。
【発明を実施するための最良の形態】
【００２２】
この発明におけるボルト、ナットキャップの最良の実施形態について、以下に説明する。本発明に係るボルト、ナットキャップ１は、図１、図２、図６に示すように、ハット型に形成されると共に、ボルト２の頭部２ａ、又はナット３を覆う可撓性部材からなる略楕円柱状のカバー部４と、該カバー部４の略楕円形の上面部４ａに前記ボルト２のネジ部２ｂを挿通可能に形成された略円形の挿通孔４ｂと、前記上面部４ａの長軸方向に相対向して前記挿通孔４ｂの内縁部４１ｂから外周方向に向かって形成された内側切込み５と、前記カバー部４の下方縁部から外側方向に略円形となるように設けられた鍔部６と、前記内側切込み５と略垂直方向に相対向して該鍔部６の外縁部６ａから内側方向に形成された外側切込み７と、を有している。
【００２３】
前記ボルト、ナットキャップ１は、ポリエチレンやポリプロピレン等の可撓性を有し、安価で成形加工が容易な汎用の合成樹脂材料を好適に使用することができる。また、ボルト、ナットキャップ１を製造する際には、例えばポリプロピレンのシート材料をプレス成型することにより製造することができる。そして、前記シート材料を予め、赤、青、黄等の作業者が視認しやすいような色彩を施しておくことができる。また、紫外線や可視光線等の照射により蛍光を放出するような蛍光塗料を含有する前記シート材料を使用してもよい。これにより、夕方になって周囲の照度が低くなったとしても、僅かな照明でもボルト、ナットキャップ１が目立ちやすくなり視認性が向上する。
【００２４】
さらに、紫外線や可視光線等の照射により燐光を放出するような蓄光塗料を含有する前記シート材料を使用してもよい。これにより、夕方になって周囲の照度が低くなったとしても、日中に太陽光を吸収したボルト、ナットキャップ１が自発的に発光するため視認性が向上する。また、ボルト、ナットキャップ１に色彩を施すための塗料、蛍光塗料、蓄光塗料は前述のように予めシート材料に含有されていてもよいが、当該シート材料をプレス成型等によりボルト、ナットキャップ１に成形してからこれらの塗料を塗布してもよいのは勿論である。
【００２５】
ボルト、ナットキャップ１には、図１、図２に示すように、下面部に開口部４ｃを有するように形成された楕円柱状のカバー部４が形成されている。該カバー部４の高さＡは、図６に示すように、ボルト２の頭部２ａの高さＢ、及びナット３の高さＣ以上に形成されていることが好ましく、これにより、これらに取付けられた、ボルト、ナットキャップ１が容易に外れることがなく、また、横から見ても当該ボルト、ナットキャップ１が取付けられていることを目視で確認しやすい。そして、カバー部４の短軸方向の長さは、図４、図５に示すように、ボルト２の頭部２ａ、及びナット３を挟持することができるように、これらの幅よりも小さく形成されている。そして、カバー部４の長軸方向の長さは、図３に示すように、当該カバー部４を長軸方向から作業者が指Ｆでつまむように挟持して、短軸方向の長さをボルト２の頭部２ａ、及びナット３の幅よりも大きくした場合にも、該カバー部４の長軸方向の長さがこれらの幅よりも大きくなるように形成されている。
【００２６】
そして、カバー部４の上面部４ａには、図１、図２、図６に示すように、ボルト２のネジ部２ｂを挿入可能な略円形の挿通孔４ｂが形成されると共に、該上面部４ａの長軸方向に相対向して該挿通孔４ｂから外側方向に内側切込み５が形成されている。そして、カバー部４の長軸方向の側面には、図１、図３に示すように、作業者が指Ｆで挟持しやすいように、相対向して内側切込み７と略垂直方向に平面部４ｄが形成されている。尚、内側切込み５は、挿通孔４ｂの内縁部４１ｂから外周方向にカバー部４の長軸方向の平面部４ｄに至るまで形成されていることが、図３に示すように、ボルト、ナットキャップ１を作業者が指Ｆでつまんだ際に当該カバー部４が変形しやすく好ましい。
【００２７】
そして、ボルト、ナットキャップ１を、図６に示すように、ボルト２のネジ部２ｂを挿通孔４ｂに挿通させると共に、ナット３に取付けた場合に、図４、図６に示すように、カバー部４の短軸方向の長さがナット３によって押し広げられ、挿通孔４ｂが略楕円形になった際に、該挿通孔４ｂの内縁部４１ｂと内側切込み５とが形成する角部８がネジ部２ｂのネジ溝に係止され、これにより、当該ボルト、ナットキャップ１が容易に外れることがない。また、カバー部４の下端縁部から外側方向に略円形に鍔部６が形成され、該鍔部６にはカバー部４の上面部４ａに形成された内側切込み５と略垂直方向に該鍔部６の外縁部６ａから内側方向に相対向して外側切込み７が形成されている。尚、外側切込み７は、鍔部６の外縁部６ａからカバー部４に至るまで形成されていることが、図３に示すように、ボルト、ナットキャップ１を作業者が指Ｆでつまんだ際に当該鍔部６が変形しやすく好ましい。
【００２８】
以上のように形成されるボルト、ナットキャップ１の使用方法について以下に示す。
【００２９】
図６は部材９、１０をボルト２、ナット３、及びワッシャー１１等を用いて連結した例である。そして、ボルト、ナットキャップ１をボルト２の頭部２ａ、又はナット３に取付ける際には、図３に示すように、作業者が指Ｆでそのカバー部４の長軸方向の側面に形成された平面部４ｄをつまんで挟持することにより、図４、図５に示すように、内側切込み５が歪を吸収するように開きカバー部４の長軸方向の長さが小さくなると共に、短軸方向の長さが大きくなるように変形する。その際には、略円形に形成された挿通孔４ｂも前述のカバー部４の変形に伴い、該カバー部４の短軸方向が長軸となるような楕円形に変形する。さらに、同時に外側切込み７が略円形の鍔部６に生じる歪を吸収するように開き当該鍔部６も、楕円形に変形した挿通孔４ｂと同方向に長軸を有する楕円形に変形する。
【００３０】
そして、前述のようにして、カバー部４の短軸方向の長さが、ボルト２の頭部２ａ、又はナット３の幅よりも大きくなった段階で、該カバー部４の下面の開口部４ｃを当該ボルト２の頭部２ａ、又はナット３に被せる。そして、作業者が指Ｆの挟持を開放することにより、前述のように変形したカバー部４等が弾性回復して、該カバー部４の内側面とボルト２の頭部２ａ、又はナット３の角部２ｃ、３ａとが接触し、これらを挟持する。また、図４に示すように、挿通孔４ｂにボルト２のネジ部２ｂを挿入すると共に、ナット３にボルト、ナットキャップ１を取付けた場合には、内側切込み５と挿通孔４ｂの内縁部４１ｂが形成する角部８が当該ネジ部２ｂのネジ溝に係止される。
【００３１】
ここで、一旦締め付けられた軸組どおしの出入りを合わせる等の微調整を行う場合のように、一旦締め付けられたボルト２、又はナット３を何らかの理由で緩める際には、ボルト、ナットキャップ１を取外す必要があるが、この状態ではレンチ等でボルト２、又はナット３を緩めることができないので、作業者が指Ｆでカバー部４の平面部４ｄを再びつまんで挟持する等すれば、容易に取外すことができる。
【００３２】
尚、ボルト、ナットキャップ１は、従来のようにマーキングを行った場合には視認しずらく、検査用突き棒では脚立を使用しないと届かないような、床梁の横綴り部分や、該床梁の水平ブレース、そして母屋、垂木、棟木等から構成される小屋組等に好適に使用することができる。また、小屋組では、落下防止の水平ネットの設置中や、該小屋組のうち地上で施工可能なものに関しては地上でボルト、ナットキャップ１を取付けることが安全上好ましい。
【００３３】
このように、ボルト、ナットキャップ１は、ボルト２、又はナット３を締めた後にこれらに取付けることで、該ボルト２、又はナット３の締め忘れの確認を目視で容易に行うことができる。すなわち、ボルト、ナットキャップ１が取付けられたボルト２、又はナット３は締め付けが完了していることになる。そして、ボルト２、又はナット３を締めた後に何らかの理由でこれらを緩める場合があるとしても、ボルト、ナットキャップ１が取付けられた状態ではレンチ等でこれらを緩めることができない。そのため、一旦ボルト、ナットキャップ１を取外す必要があり、緩めたボルト２、又はナット３を再度締め忘れたとしても、このボルト２、又はナット３には当該ボルト、ナットキャップ１が取付けられていないので、これが締められていないと目視で判断することができる。尚、ボルト、ナットキャップ１の取付け作業は、これが取付けられるボルト２、ナット３を締め付けた作業者と同一の作業者が行うことが好ましいが、別の作業者が取付けてもよいのは勿論である。
【産業上の利用可能性】
【００３４】
本発明に係るボルト、ナットキャップ１は、戸建住宅の施工を始め、マンション、その他の構造物にも使用することができる。
【図面の簡単な説明】
【００３５】
【図１】本実施形態に係るボルト、ナットキャップの全体斜視図
【図２】図１とは異なる方向からの本実施形態に係るボルト、ナットキャップの全体斜視図
【図３】カバー部を挟持した状態を示す図
【図４】本実施形態に係るボルト、ナットキャップの復元力によりナットが挟持される状態を示す図
【図５】本実施形態に係るボルト、ナットキャップの復元力によりボルトが挟持される状態を示す図
【図６】本実施形態に係るボルト、ナットキャップが、ボルト、ナットに取付けられた状態を示す拡大図
【図７】従来技術を示す図
【符号の説明】
【００３６】
１        ボルト、ナットキャップ
２        ボルト
２ａ      頭部
２ｂ      ネジ部
２ｃ      角部
３        ナット
４        カバー部
４ａ      上面部
４ｂ      挿通孔
４１ｂ    内縁部
５        内側切込み
６        鍔部
６ａ      外縁部
７        外側切込み
【図１】
0004911368.tif 000002
【図２】
0004911368.tif 000003
【図３】
0004911368.tif 000004
【図４】
0004911368.tif 000005
【図５】
0004911368.tif 000006
【図６】
0004911368.tif 000007
【図７】
0004911368.tif 000008